(57)【要約】      （修正有）【課題】使用時に、手にくっつかない端部を形成することを、大掛かりな器具を要さずに、容易に、また厚みを増すことなくできる粘着テープを提供する。【解決手段】基材１０の裏面３側には、接着剤を長さ方向に一定の間隔を空けて幅方向に帯状に塗布して交互にあらわれる、接着部４と非接着部５とで形成されている横縞を設けてあり、基材１０の表面側には剥離剤１２を塗布してあり、基材１０の表面２側において、裏面に非接着部５がある部分に色又は模様又は文字が設けてある粘着テープとする。【選択図】図３
0003200766.tif 000002
【実用新案登録請求の範囲】
【請求項１】
基材の裏面側には、接着剤を長さ方向に一定の間隔を空けて幅方向に帯状に塗布して交互にあらわれる、接着部と非接着部とで形成されている横縞を設けてあり、基材の表面側には剥離剤が塗布してあることを特徴とする粘着テープ。
【請求項２】
前記非接着部の長さが１０ｍｍ以上２０ｍｍ以下であり、前記接着部の長さが前記非接着部の長さの１倍以上２倍以下であり、前記接着部には全幅接着剤が塗布してあることを特徴とする請求項１記載の粘着テープ。
【請求項３】
基材の表面側において、裏面が前記非接着部である部分に色又は模様又は文字が設けてあることを特徴とする請求項１又は請求項２記載の粘着テープ。
【考案の詳細な説明】
【技術分野】
【０００１】
本考案は、配送用段ボール箱や封筒・包装紙に貼って梱包や封緘等に利用することができる粘着テープに関する。
【背景技術】
【０００２】
従来から、配送用段ボール箱や封筒・包装紙に貼って梱包や封緘等に使用されている粘着テープには、布製、クラフトペーパー製、樹脂フィルム製など様々なタイプがあるが、いずれもテープ状の基材の裏面が粘着力の強い糊面となっており、一方基材の表面は糊面から簡単に剥がれる素材となっている。粘着テープは、ロール状に巻いて保管されているため、使用する際には、ロール状の粘着テープの端を探してめくる必要がある。
【０００３】
また、粘着テープを段ボール等に貼って梱包に使用した後、解体する際に指で剥がすのは困難であるため、カッター等で切り裂いて開封し、付着している粘着テープ片は付着したままの状態となることが多い。
【０００４】
これらの問題に対し、切断された粘着テープの先端をループ状に丸めて粘着面同士を一定の長さで接着させることで手にくっつかない掴み部となるタブを次回の切断テープ用に形成するタブ形成テープカッターやタブディスペンサーの技術が知られている（例えば、特許文献１参照）。粘着面の一部に紙やフィルムを貼りつけたり粉をまぶしたりすることにより粘着面の一部を非粘着とするのりごろし加工をしたシールやステッカーはあるものの、粘着テープでは出願人の知る限りはない。なお、梱包及び包装用のクラフトテープには、粘着テープよりも古くから、郵便切手と同じように糊剤として水溶性のアラビアゴムを全面に塗布した「ガムテープ」が存在する。ガムテープは表面にシリコン加工はしない。一般には粘着テープをガムテープと呼ぶことがあるが、テープ業界では、ガムテープと粘着テープは区別されて呼称されている。ガムテープは、粘着テープと異なり、使用後に糊部分に水を浸す補助器具を必要とする。ガムテープは、主に紙製品を取り扱う製造工場で包装用に使われており、製紙会社から出荷される原紙の包装には全てガムテープが使用されている。本願では、「粘着テープ」には、ガムテープを含まない。
【先行技術文献】
【特許文献】
【０００５】
【特許文献１】特開２０１４−１５３３６号公報
【考案の概要】
【考案が解決しようとする課題】
【０００６】
しかし、上述したテープカッターは、ポリプロピレン（ＰＰ）やポリエチレンテレフタレート（ＰＥＴ）などの薄いフィルムを素材とする粘着テープにしか使用できないという問題があった。また、粘着テープ以外に特殊なテープカッターを要するという問題があった。
【０００７】
粘着面の一部に、紙やポリプロピレン等のフィルムを貼ったり、ニスを塗ったり粉をまぶしたのりごろし加工では、紙やフィルムの分だけ厚みが増してしまうし、紙やフィルムや粉等の材料が必要となるためコストがかかるし、構造上紙等を貼りつけたり粉をまぶすのは容易ではないという問題があった。
【０００８】
従来の粘着テープでは、使用する際に粘着テープのロールから取出し口となる端を探して剥がす必要があるため煩わしいという問題があった。また、使用後に、粘着テープを貼って組み立てられた段ボール等の対象物を解体する際には、カッターナイフを使用する際に開封者が手を切ってしまったり、カッターナイフで内容物を傷つけるおそれがあるという問題があった。また段ボールに貼りついたまま残った粘着テープは、段ボールを資源ゴミとして再パルプ化等でリサイクルする際に除去が必要となるという問題があった。また、段ボールを再利用する際、残った粘着テープを剥がさないままであると、粘着テープの上から粘着テープを貼ることになり、新しい粘着テープがすぐ剥がれてしまう。そのためリサイクルする際や再利用する際には、粘着テープを取り除く必要があるが、粘着テープを対象物から指で剥がすのが容易でなく時間がかかるという問題があった。
【０００９】
そこで、本考案は、このような従来の粘着テープが有していた問題点を踏まえ、使用時に、手にくっつかない端部を形成することを、大掛かりな器具を要さずに、容易に、また厚みを増すことなくできる粘着テープを提供することを目的とする。
【課題を解決するための手段】
【００１０】
本考案の第１の態様は、基材の裏面側には、接着剤を長さ方向に一定の間隔を空けて幅方向に帯状に塗布して交互にあらわれる、接着部と非接着部とで形成されている横縞を設けてあり、基材の表面側には剥離剤が塗布してあることを特徴とする粘着テープを提供する。
【００１１】
前記非接着部の長さが１０ｍｍ以上２０ｍｍ以下であり、前記接着部の長さが前記非接着部の長さの１倍以上２倍以下であり、前記接着部には全幅接着剤が塗布してあることが好ましい。また、基材の表面側において、裏面が前記非接着部である部分に色又は模様又は文字が設けてあることが好ましい。色、文字又は模様によって、粘着テープを使用した時に切って掴み部にするところの目印になり、ユーザにとって便利で、使いやすい粘着テープとなる。
【考案の効果】
【００１２】
本考案の粘着テープは上述したように構成されており、本考案の粘着テープによれば、使用時に、手にくっつかない端部を形成することを、大掛かりな器具を要さずに、容易に、また厚みを増すことなくできる。
【図面の簡単な説明】
【００１３】
【図１】本考案の実施例１の粘着テープの裏面側を示す斜視図である。
【図２】本考案の実施例１の粘着テープの表面側を示す斜視図である。
【図３】本考案の実施例１の粘着テープの断面拡大図である。
【考案を実施するための形態】
【００１４】
以下、本考案の粘着テープの一実施形態について、図面を参照し実施例を用いて具体的に説明するが、本考案はこれらに限定されるものではない。
【実施例１】
【００１５】
(構成)
図１は、本考案の実施例１の粘着テープの裏面側を示す斜視図である。図２は、本考案の実施例１の粘着テープの表面側を示す斜視図である。図３は、本考案の実施例１の粘着テープの断面拡大図である。図３は、テープの表面側を上にして、テープを長さ方向に切った断面の一部を拡大して示した、説明用の図である。
【００１６】
本実施例１の粘着テープ１は、基材１０の裏面３側には接着剤を長さ方向に一定の間隔を空けて幅方向に帯状に塗布して交互にあらわれる接着部４(図１においてテープ裏側の着色部分)と非接着部５（図１においてテープ裏側の白色部分）で形成されている横縞を設けてあり、基材１０の表面２側には剥離剤１２が塗布してある。本実施例１の粘着テープ１は、紙製の紙管である巻芯９の周りに、かかる基材１０を、裏面２側すなわち粘着面を内側にして捲回した状態となっている。
【００１７】
使用時には、粘着テープ１の外側面にある巻き終わりの端を引っ張って任意の長さ分を引き出し、手又は附属の簡易切断具や鋏等で、非接着部５の中央付近において幅方向に切断して使用する。本実施例では簡易切断具８が附属されている（図１では図示を省略）。
【００１８】
切断することにより形成される端部１１は非接着性であり、折り曲げ等要さずに、手指で掴む掴み部となるタブの役割をする。本願において、長さ方向とは、テープの長辺方向すなわちテープの捲回方向（伸延方向）のことをいい、幅方向とは、長さ方向と垂直方向すなわちテープの短辺方向のことをいう。
【００１９】
非接着部５の長さは、本実施例では１５ｍｍであるが、非接着部５の中央付近で切ったときに両先端が５〜７ｍｍ程度あれば手指で掴むのに十分な長さの非接着性の端部１１ができるので、非接着部５の長さは１０ｍｍ以上あることが好ましい。ただし、非接着部５が長すぎると粘着テープを段ボール等に貼ったときに十分な付着力を発揮できないので、非接着部５の長さは２０ｍｍ以下であることが好ましい。接着部４の長さは非接着部５の長さの１倍以上２倍以下であることが好ましい。接着部４には全幅接着剤が塗布してある。
【００２０】
基材１０は、実施例１では未晒しクラフト紙(茶色)又は晒しクラフト紙(白色)であるが、基材は、その他の紙、布、ポリプロピレンやポリエチレンテレフタレート等のフィルム、金属箔等であってもよい。粘着テープの製造は、裏面側に一定の間隔で接着剤を長さ方向に一定の間隔を空けて幅方向に帯状に塗布して交互にあらわれる接着部４と非接着部５を裏面全面に設けた基材１０を２０００ｍ程度の大きなロールに巻きつけて、その後５０ｍ等、所定の長さで切断して巻芯に巻いて行う。つまり、縞状に接着剤を塗布することによって、テープの原反を製造する段階で、はじめから「糊のない部分」を作っておく。本実施例では、５０ｍｍ幅の５０ｍ巻の粘着テープであるが、これに限らない。
【００２１】
本実施例では、裏面３側が接着部４か非接着部５かの目印が設けてある。本実施例では基材１０の表面２側には、裏面３に非接着部５がある部分の表側部分である非接着箇所表示部６（図１・図２においてテープ表側の着色部分）は一色刷してあり、裏面３に接着部４がある部分の表側部分である接着箇所表示部７（図１・図２においてテープ表側の白色部分）は、何も印刷せず、その後、剥離剤を塗工する。非接着箇所表示部６には多色印刷でも模様あるいは文字を印刷してもよい。非接着箇所表示部６と非接着箇所表示部６が区別できるようにそれぞれ別の色や模様や文字を印刷してもよい。本実施例では、剥離剤としてはシリコンを用いる。
【００２２】
非接着箇所と接着箇所が区別できるため、段ボール等の被着物に粘着テープの端を接着させずに端から剥がしやすくして貼るために粘着テープを使用する際、どこが切断するのに適した箇所であるかをユーザに示すことができるので、利便性が高くなる。
【００２３】
本実施例によれば、基材の裏面側には、接着剤を長さ方向に一定の間隔を空けて幅方向に帯状に塗布して交互にあらわれる、接着部と非接着部とで形成されている横縞を設けてあり、基材の表面側には剥離剤が塗布してあるので、使用時に、手にくっつかない端部を形成することを、大掛かりな器具を要さずに、容易に、また厚みを増すことなくできる。また、テープを折り曲げる等の手間を要さず掴み部を形成することができる。したがって、被着物に付着した粘着テープ全体をスムーズに剥がせる。また、基材の表面側において、裏面が非接着部である部分に色又は模様又は文字が設けてあるので、巻いてある状態の粘着テープの取り出し口(先端)を探すことが容易となる。粘着剤の量も大幅に減らすことができる。
【００２４】
剥がすのに特殊なテープカッター等を要さず、のりごろし加工の材料を余分に要することなく作業の困難さを要さず、コストがかさまない。段ボール等の被着物から粘着テープを剥がすときにカッターナイフを要さないため、手を切る心配がなく、内容物を傷つける心配がない。
【００２５】
非接着部の長さが１０ｍｍ以上２０ｍｍ以下であり、接着部の長さが非接着部の長さの１倍以上２倍以下であり、接着部には全幅接着剤が塗布してあるので、手指でも非接着部で切断しやすく、しかし、接着は十分でき、かつ剥がす時に、簡単に剥がせる。したがって、粘着テープを段ボール等の被着物から剥がしてリサイクルされるため、トイレットペーパーや段ボールの中芯等へのリサイクルが容易となる。また、被着物をリユースする際に古い粘着テープは剥がしてあるので新しい粘着テープが被着物によく接着される。
【００２６】
薄いフィルム状の粘着テープだけでなく厚みのあるクラフト製の粘着テープでも剥がしやすくなる。原反の段階で、端から端まで途中で途切れることなくエンドレスで接着部４と非接着部５が設けてあるので、最後まで無駄なく使える。
【００２７】
本実施例の粘着テープは、全体的接着性がやや低下するため、密封性を必要とする梱包や重量物の梱包には適さないが、通常の梱包には広く使用可能であり、使用により被着物からの剥がし作業において作業性が良くなるだけでなく、上述のようにエコロジーの観点も考慮されている。
【００２８】
なお、本考案は、上記実施例で述べた実施の形態に限定されず、その考案の趣旨を逸脱しない範囲で種々と変形実施が可能である。
【符号の説明】
【００２９】
１    粘着テープ
２    表面
３    裏面
４    接着部
５    非接着部
６    非接着箇所表示部
７    接着箇所表示部
８    簡易切断具
９    巻芯
１０  基材
１１  端部
１２  剥離剤
【図１】
0003200766.tif 000003
【図２】
0003200766.tif 000004
【図３】
0003200766.tif 000005